(57)【特許請求の範囲】
【請求項１】
相手装置を呼び出し、該相手装置と通信する通信装置において、
相手装置に向けて通信要求を発信する要求発信部と、
前記相手装置から送信されてきた、前記要求発信部で発信された通信要求に対する通信許可応答を受信する応答受信部と、
前記相手装置に、この通信装置が所定の通信料金支払方式が採用されたものである旨の通知を発信する通知部と、
前記通知部から前記通知が発信された後に、この通信装置のユーザと前記相手装置のユーザとの間の、該通信装置と該相手装置を介在させた通信を許可する通信許可部とを備えたことを特徴とする通信装置。
【請求項２】
この通信装置は、相手装置との間で通話を行う通信装置であって、
前記通知部は、相手装置に音声メッセージを流すものであり、
前記通信許可部は、相手装置に前記音声メッセージを流し終えた後に、該相手装置との通話を許可するものであることを特徴とする請求項１記載の通信装置。
【請求項３】
前記所定の通信料金支払方式が料金先払い方式であって、前記通知部は、この通信装置が料金先払い方式の通信装置である旨を通知するものであることを特徴とする請求項１記載の通信装置。
【請求項４】
プログラムを実行する機能を有する通信装置内で実行され、該通信装置に、相手装置を呼び出し、該相手装置と通信させる通信プログラムにおいて、
該通信装置内に、
相手装置に向けて通信要求を発信する要求発信部と、
前記相手装置から送信されてきた、前記要求発信部で発信された通信要求に対する通信許可応答を受信する応答受信部と、
前記相手装置に、この通信装置が所定の通信料金支払方式が採用されたものである旨の通知を発信する通知部と、
前記通知部から前記通知が発信された後に、この通信装置のユーザと前記相手装置のユーザとの間の、該通信装置と該相手装置を介在させた通信を許可する通信許可部とを構成することを特徴とする通信プログラム。
【請求項５】
この通信プログラムは、前記通信装置内で実行されて該通信装置に相手装置との間で通話を行わせるプログラムであって、
前記通知部は、相手装置に音声メッセージを流すものであり、
前記通信許可部は、相手装置に前記音声メッセージを流し終えた後に、該相手装置との通話を許可するものであることを特徴とする請求項４記載の通信プログラム。
【請求項６】
前記所定の通信料金支払方式が料金先払い方式であって、前記通知部は、この通信装置が料金先払い方式の通信装置である旨を通知するものであることを特徴とする請求項４記載の通信プログラム。
【請求項７】
相手装置との間で通信を行う通信装置における、該相手装置を呼び出して該相手装置と通信する通信方法において、
相手装置に向けて通信要求を発信する要求発信過程と、
前記相手装置から送信されてきた、前記要求発信過程で発信された通信要求に対する通信許可応答を受信する応答受信過程と、
前記相手装置に向けて、この通信装置が所定の通信料金支払方式が採用されたものである旨の通知を発信する通知過程と、
前記通知過程で前記通知が発信された後に、この通信装置のユーザと前記相手装置のユーザとの間の、該通信装置と該相手装置を介在させた通信を許可する通信許可過程とを有することを特徴とする通信方法。
【発明の詳細な説明】
【技術分野】
【０００１】
本発明は、装置固有に割り当てられた発呼番号に基づいて相手装置を呼び出し、呼び出した相手装置と通信する通信装置、プログラムを実行する機能を有する装置内で実行されることにより、装置をそのような通信装置として動作させる通信プログラム、および装置固有に割り当てられた発呼番号に基づいて相手装置を呼び出し、呼び出した相手装置と通信する通信方法に関する。
【背景技術】
【０００２】
近年、料金先払方式の携帯電話（以下では、プリペイド式電話と称する）を利用した詐欺などが多発しており、社会的な問題となっている。このプリペイド式電話では、プリペイドカードなどを購入することで通信料金が先払いで支払われるため、通信料金が後払いで徴収される通常の携帯電話などと比べて、購入時の身元確認が簡易にすまされてしまっているという現状がある。このため、プリペイド式電話を使用した犯罪に遭っても、その着信電話番号から探し出した購入者が架空名義であったりして、加害者の身元を特定することが困難になってしまっている。【０００３】
上記のような問題を解決するために、基本的には身元確認が不要であったプリペイド式電話の購入時に、料金後払方式の携帯電話を購入するときと同様の身元確認の手続きが義務付けられるようになってきた。特許文献１には、このような身元確認手続きの増加による、電話端末販売店での作業煩雑化を軽減する技術として、購入者の身元確認作業が自動化されたプリペイド式電話の自動販売機について記載されている。この特許文献１に記載された技術によると、電話端末販売店での作業負荷を増加させることなく、プリペイド式電話の購入者の身元を確実に確認することができる。
【特許文献１】特開２００２−１８３８１１号公報
【発明の開示】
【発明が解決しようとする課題】
【０００４】
しかし、プリペイド式電話は、通信料金を支払う際に銀行口座や住所などが不要なため転売されやすく、特許文献１に記載された技術によって購入者の身元は確認できても、そのプリペイド式電話が転売された後で犯罪が行われた場合には、その加害者を特定することは困難であるという問題がある。【０００５】
以上のような現状から、プリペイド式電話というサービスそのものが廃止される方向への動きも生じている。一方、携帯電話にメール機能やＷｅｂ機能などが搭載されてきたことに伴って、携帯電話の通信料金が増加してきており、若年層のユーザの保護者などの間では、予め支払われた通信料金を超過すると通信ができなくなるプリペイド式電話の需要が高まってきている。このため、プリペイド式電話の使用者の身元を確認することよりも、プリペイド式電話からの発呼を着信した側で用心できるような仕組みの開発が望まれている。【０００６】
本発明は、上記事情に鑑み、プリペイド式電話からの発呼を着信した側で、プリペイド式電話が使用されていることを確認することができる通信装置、通信プログラム、および通信方法を提供することを目的とする。
【課題を解決するための手段】
【０００７】
上記目的を達成する本発明の通信装置は、相手装置を呼び出し、相手装置と通信する通信装置において、
相手装置に向けて通信要求を発信する要求発信部と、
相手装置から送信されてきた、要求発信部で発信された通信要求に対する通信許可応答を受信する応答受信部と、
相手装置に、この通信装置が所定の通信料金支払方式が採用されたものである旨の通知を発信する通知部と、
通知部から通知が発信された後に、この通信装置のユーザと相手装置のユーザとの間の、通信装置と相手装置を介在させた通信を許可する通信許可部とを備えたことを特徴とする。【０００８】
本発明の通信装置によると、相手装置から送信されてきた通信許可応答が受信されると、相手装置に、この通信装置が所定の通信料金支払方式が採用されたものである旨が通知され、その後で、相手装置との通話が許可される。本発明の通信装置が、悪用が問題となっている料金先払方式の携帯電話などに適用されることによって、相手装置のユーザは、通話前に料金先払方式の携帯電話からの着信であることを認識して用心することができる。【０００９】
また、本発明の通信装置において、この通信装置は、相手装置との間で通話を行う通信装置であって、
上記通知部は、相手装置に音声メッセージを流すものであり、
上記通信許可部は、相手装置に音声メッセージを流し終えた後に、その相手装置との通話を許可するものであることが好ましい。【００１０】
音声メッセージで通知されることによって、相手装置がディスプレイが設けられていない電話端末であっても、相手装置のユーザは、所定の通信料金支払方式が採用された通信装置からの着信であることを確実に確認することができる。【００１１】
また、本発明の通信装置において、上記所定の通信料金支払方式が料金先払い方式であって、上記通知部は、この通信装置が料金先払い方式の通信装置である旨を通知するものであることが好ましい。【００１２】
近年、料金先払い方式の通信装置を使用した詐欺などが問題となっており、この通信料金支払方式の通信装置からの着信であることが通話前に通知されることによって、被害を軽減することができる。【００１３】
また、上記目的を達成する本発明の通信プログラムは、プログラムを実行する機能を有する通信装置内で実行され、その通信装置に、相手装置を呼び出し、相手装置と通信させる通信プログラムにおいて、
通信装置内に、
相手装置に向けて通信要求を発信する要求発信部と、
相手装置から送信されてきた、要求発信部で発信された通信要求に対する通信許可応答を受信する応答受信部と、
相手装置に、この通信装置が所定の通信料金支払方式が採用されたものである旨の通知を発信する通知部と、
通知部から通知が発信された後に、この通信装置のユーザと相手装置のユーザとの間の、通信装置と相手装置を介在させた通信を許可する通信許可部とを構成することを特徴とする。【００１４】
本発明の通信プログラムによると、通信装置を、所定の通信料金支払方式が採用された通信装置からの着信であることを相手装置に通知する通信装置として機能させることができる。【００１５】
尚、本発明の通信プログラムによって構築される要求発信部などといった構成要素は、１つの構成要素が１つのプログラム部品によって構築されるものであってもよく、１つの構成要素が複数のプログラム部品によって構築されるものであってもよく、複数の構成要素が１つのプログラム部品によって構築されるものであってもよい。また、これらの構成要素は、そのような作用を自分自身で実行するものであってもよく、あるいは、通信装置に組み込まれている他のプログラムやプログラム部品に指示を与えて実行させるものであっても良い。【００１６】
また、本発明の通信プログラムにおいて、この通信プログラムは、通信装置内で実行されて通信装置に相手装置との間で通話を行わせるプログラムであって、
上記通知部は、相手装置に音声メッセージを流すものであり、
上記通信許可部は、相手装置に音声メッセージを流し終えた後に、その相手装置との通話を許可するものであることが好ましい。【００１７】
音声メッセージで通知されることによって、相手装置側で、所定の通信料金支払方式が採用された通信装置からの着信であることを確実に確認することができる。【００１８】
また、本発明の通信プログラムにおいて、上記所定の通信料金支払方式が料金先払い方式であって、上記通知部は、この通信装置が料金先払い方式の通信装置である旨を通知するものであることが好ましい。【００１９】
悪用が問題となっている通信料金支払方式の通信装置からの着信であることが、相手装置に通話前に通知される。【００２０】
また、上記目的を達成する本発明の通信方法は、相手装置との間で通信を行う通信装置における、相手装置を呼び出して相手装置と通信する通信方法において、
相手装置に向けて通信要求を発信する要求発信過程と、
相手装置から送信されてきた、要求発信過程で発信された通信要求に対する通信許可応答を受信する応答受信過程と、
相手装置に向けて、この通信装置が所定の通信料金支払方式が採用されたものである旨の通知を発信する通知過程と、
通知過程で通知が発信された後に、この通信装置のユーザと相手装置のユーザとの間の、通信装置と相手装置を介在させた通信を許可する通信許可過程とを有することを特徴とする。【００２１】
本発明の通信方法によると、所定の通信料金支払方式が採用された通信装置からの着信であることを相手装置に通知することができる。【００２２】
尚、本発明の通信方法については、ここではその基本形態のみを示すのにとどめたが、これは単に重複を避けるためであり、本発明にいう通信方法には、上記の基本形態のみではなく、前述した通信装置の各形態に対応する各種の形態が含まれる。
【発明の効果】
【００２３】
本発明によれば、プリペイド式電話からの発呼を着信した側で、プリペイド式電話が使用されていることを確認することができる通信装置、通信プログラム、および通信方法を提供することを目的とする。
【図面の簡単な説明】
【００２４】
【図１】本発明の一実施形態が適用された通信システムの一例を示す模式図である。
【図２】プリペイド式携帯電話端末の外観斜視図である。
【図３】プリペイド式携帯電話端末のハードウェア構成図である。
【図４】ＣＰＵで実行される、本発明の一実施形態としての通信プログラムを示す図である。
【図５】プリペイド式携帯電話端末から、図１に示す携帯電話や固定電話に電話を掛けるときの一連の流れを示すフローチャート図である。
【図６】プリペイド式携帯電話端末内で実行される一連の処理の流れを示すフローチャート図である。
【図７】図５および図６に示す処理の流れを表現した図である。
【発明を実施するための最良の形態】
【００２５】
以下図面を参照して本発明の実施の形態を説明する。【００２６】
図１は、本発明の一実施形態が適用された通信システムの一例を示す模式図である。【００２７】
図１には、予めプリペイドカードを購入しておくことによって通信料金が支払われる料金先払方式が採用されたプリペイド式携帯電話端末１０と、携帯電話端末２０と、プリペイド式携帯電話端末１０および携帯電話端末２０との間で無線通信が行われる基地局４０と、固定電話端末３０と、固定電話端末３０との間で電話や各種情報を仲介する交換機６０と、交換機６０や基地局４０を相互に接続する電話回線網５０が示されている。尚、実際には、多数の携帯電話端末や固定電話端末が基地局４０や交換機６０と接続されており、さらに、多数の基地局や、多数の交換機などが電話回線網５０に接続されているが、図１では、図の簡略化のために、本発明の説明に必要なもののみが示されている。また、携帯電話端末２０は、通信料金が先払いされるプリペイド式携帯電話端末であってもよく、通信料金が後払いで徴収される通常の携帯電話端末であってもよい。【００２８】
ここで、近年では、プリペイド式携帯電話端末を使った犯罪が増加してきており、本実施形態のプリペイド式携帯電話端末１０には、通信相手端末に電話を掛けると、通信相手端末側に、「プリペイド式携帯電話端末からの着信である」旨を通知する通知機能が搭載されている。この通知機能については、後で詳しく説明する。【００２９】
図２は、プリペイド式携帯電話端末の外観斜視図、図３はそのプリペイド式携帯電話端末のハードウェア構成図である。【００３０】
このプリペイド式携帯電話端末１０には、電話番号や画像表示のためのＬＣＤ１１１、内部に小型スピーカが配備され耳にあてがわれて音声を聞き取るための送話口１１２、ユーザによって操作され、このプリペイド式携帯電話端末１０を使って電話を掛けたり、電子メールを送信したり、各種設定を行ったりするための各種の操作キー１２１、ユーザの声をピックアップするマイクロホンが内蔵されそのマイクロホンに声を導くための受話口１２２、および少し大型のスピーカーが内蔵され耳にあてがわれなくても聞き取れるれる程度の音声を出力する放音口１２３が設けられている。【００３１】
また、図３には、無線部１１、コントロールＬＳＩ１２、ＣＰＵ１３、不揮発メモリ１４、ＬＣＤ／キー１５、およびスピーカ／マイクロホン１６のブロックが示されている。【００３２】
無線部１１は、図２にも示すアンテナ１１ａを介して外部と無線通信を行うブロックであり、コントロールＬＳＩ１２は、ＣＰＵ１３の制御を受けながら、無線部１１とＬＣＤ／キー１５との間や、無線部１１とスピーカ／マイクロホン１６との間、およびＣＰＵ１３と、ＬＣＤ／キー１５、およびスピーカ／マイクロホン１６との間の信号の仲介や加工を担っている。【００３３】
ＣＰＵ１３は、プログラムを実行して無線部１１およびコントロールＬＳＩ１１２を制御し、また、コントロールＬＳＩを介してＬＣＤ／キー１５からの情報を入手する。【００３４】
不揮発性メモリ１４は、ＣＰＵ１３で実行されるプログラムや、その他、図４を参照して説明する電話機種別（後述する）を記憶しておくものである。【００３５】
また、ＬＣＤ／キー１５は、図２に示す外観上は、ＬＣＤ１１１および各種キー１２１に相当するものであり、画像の表示およびユーザによるキー操作の検出を担っている。【００３６】
さらに、スピーカ／マイクロホン１６は、このプリペイド式携帯電話端末１０の主に電話機能を使用する際に用いられるものであり、ユーザに向けての送話やユーザの声の受話を担っている。【００３７】
図４は、図３に示すＣＰＵ１３で実行される、本発明の一実施形態としての通信プログラムを示す図である。【００３８】
ＣＰＵ１３で実行される通信プログラム１３０は、音声通話制御部１３１と、無線制御部１３２と、音声パス制御部１３３と、ガイダンス制御部１３４とで構成されている。【００３９】
尚、この図４では、音声通話制御部１３１、無線制御部１３２、音声パス制御部１３３、およびガイダンス制御部１３４を、通信プログラム１３０を構成するプログラム部品として示したが、ここでは、これらのプログラム部品がＣＰＵ１３で事項されることにより実現する機能自体についても、それらのプログラム部品とそれぞれ同一の名称を使用し、プログラム部品自体と区別せずに説明する。【００４０】
以下では、図４に示す各プログラム部品によって実現される各種機能について説明する。【００４１】
ＣＰＵ１３で通信プログラム１３０が実行されるにあたっては、電話機種別１５０が参照される。この電話機種別１５０は、このプリペイド式携帯電話端末１０をプリペイド式携帯電話端末として使用する場合には１、このプリペイド式携帯電話端末を通信料金後払方式の通常の携帯電話端末として使用する場合には０が割り当てられており、図３に示す不揮発メモリ１４に記録されている。この携帯電話端末１０は、電話機種別１５０が１の場合にのみ、以下に説明する各種要素での動作が実行されて、本実施形態に特有の通知機能が実現される。この電話機種別１５０が記録されることによって、携帯電話のメーカーでは、同機種の携帯電話を、プリペイド式携帯電話端末、あるいは通常の携帯電話端末のいずれかに容易に設定することができる。【００４２】
音声通話制御部１３１は、図４に示す各種要素を制御するものである。この音声通話制御部１３１は、本発明にいう通信許可部の一例に相当する。【００４３】
無線制御部１３２は、図３に示す無線部１１がその役割を担うものである。音声通話制御部１３１からの指示に従って、通信相手端末に通信要求を発信し、その通信相手端末から、通信許可応答を受信する。この無線制御部１３２は、本発明にいう要求発信部、および応答受信部それぞれの一例に相当する。【００４４】
ガイダンス制御部１４０は、音声通話制御部１３１からの指示に従って、不揮発メモリ１４に予め記録されている「プリペイド式携帯電話端末からの発信である」という旨の音声ガイダンスを音声パス制御部１３３に伝える。音声パス制御部１３３は、通信相手端末に音声パスを開通し、ガイダンス制御部１４０から伝えられた音声ガイダンスを通信相手端末に伝達する。ガイダンス制御部１４０と音声パス制御部１３３とを合わせたものは、本発明にいう通知部の一例にあたる。【００４５】
図５は、プリペイド式携帯電話端末１０から、図１に示す携帯電話端末２０や固定電話端末３０に電話を掛けるときの一連の流れを示すフローチャート図であり、図６は、プリペイド式携帯電話端末１０内で実行される一連の処理の流れを示すフローチャート図である。【００４６】
ここで、図６における各個別処理に付した符号、例えば、１３１ａ，１３１ｂ，…；１３２ａ，…は、それらの符号からアルファベットを除いた符合１３１；１３２；…と一致する符合が付された、図４に示すプログラム部品による処理であることを示している。すなわち、例示すると、符号１３１ａ，１３１ｂ，…は、図４に示す通信プログラム１３０を構成するプログラム部品である音声通話制御部１３１による処理である。他のプログラム部品についても同様である。【００４７】
プリペイド式携帯電話端末１０のユーザが、図１に示す携帯電話端末２０や固定電話端末３０（通信相手端末）の電話番号を指定し、通信相手端末に電話を掛けると、図５に示すように、プリペイド式携帯電話端末１０から通信相手端末に通信要求が送信される（図５のステップＳ１１）。【００４８】
このとき、プリペイド式携帯電話端末１０の内部では、図６に示すように、音声通話制御部１３１において、不揮発メモリ１４に記録された電話器種別１５０が取得される（図６のステップＳ１３１ａ）。この電話機種別１５０が０（通常の携帯電話端末）であるときには、通常の通信処理が実行されるが、ここでは、電話機種別１５０が１（プリペイド式携帯電話端末）であり、通常の通信処理に加えて、本実施形態に特有の通知処理が実行される。音声通話制御部１３１は、無線制御部１３２に通信要求の発信を指示する（図６のステップＳ１３１ｂ）。【００４９】
無線制御部１３２は、音声通話制御部１３１からの指示を受けて、図３のアンテナ１１ａから通信相手端末に向けて通信要求を発信する（図６のステップＳ１３２ａ）。この通信要求が発信されるステップＳ１３２ａの過程は、本発明の通信方法における要求発信過程の一例に相当する。また、無線制御部１３２は、通信要求を発信した後で、音声通話制御部１３１に音声パスの開通を要求する（図６のステップＳ１３２ｂ）。【００５０】
音声通話制御部１３１は、無線制御部１３２から音声パスの要求を受け取ると、音声パス制御部１３３に音声パスの開通を指示する（図６のステップＳ１３１ｃ）。【００５１】
音声パス制御部１３３は、通信相手端末との間に音声パスを開通する（図６のステップＳ１３３ａ）。【００５２】
図５に戻り、通信相手端末のユーザは、携帯電話端末２０や固定電話端末３０の着信音などによって、着信を認識する。例えば、プリペイド式携帯電話端末１０から「非通知モード」で電話が掛けられたときには、通信相手端末のユーザは、発信元の電話番号を確認することができない。また、プリペイド式携帯電話端末１０から「通知モード」で電話が掛けられたときには、電話端末に設けられたディスプレイなどに発信元の電話番号が表示されるが、その電話番号を見ても、プリペイド式携帯電話端末からの発信なのか、一般の通信料金後払方式の電話端末からの発信なのかを確認することができない。通信相手端末のユーザは、発信元の電話端末の種別が判別できていないまま電話を取って応答する（図５のステップＳ１２）。【００５３】
このとき、プリペイド式携帯電話端末１０の内部では、図６に示すように、無線制御部１３２において、通信相手端末から送られてきた通信許可応答が受信される（図６のステップＳ１３２ｃ）。この通信許可応答を受信するステップＳ１３２ｃの過程は、本発明の通信方法における応答受信過程の一例に相当する。さらに、無線制御部１３２は、音声通話制御部１３１に通話要求を伝える（図６のステップＳ１３２ｄ）。【００５４】
音声通話制御部１３１は、通話要求が受信されてもすぐに通話を許可せず、ガイダンス制御部１３４に音声ガイダンスの発信を指示する（図６のステップＳ１３１ｄ）。【００５５】
ガイダンス制御部１３４は、音声通話制御部１３１からの指示に従って、不揮発メモリ１４に記録されている音声ガイダンスを取得し、音声パス制御部１３３に音声ガイダンスを伝える（図６のステップＳ１３４ａ）。音声パス制御部１３３に伝えられた音声ガイダンスは、音声パスを介して通信相手端末に送信される。この音声ガイダンスを送信するステップＳ１３４ａの過程は、本発明の通信方法における通知過程の一例にあたる。【００５６】
図５に戻り、通信相手端末のユーザは、ステップＳ１２において電話を取るが、プリペイド式携帯電話端末１０によって通話が許可されておらず、通話ができない状態になっている。電話を取ると、プリペイド式携帯電話端末１０から「プリペイド式携帯電話からの発信である」旨の音声ガイダンスが伝えられる。通信相手端末のユーザは、音声ガイダンスを聞いて、通話を許可するか否かを決定し、通話を許可しない場合には、電話を切る。通話を許可するときには、音声ガイダンスが終了するまで電話を切らずに保持しておく。【００５７】
図６に示すように、通信相手装置からの通信許可応答を受信してから、音声ガイダンスが送信され終わるまでの間（破線で囲んだ部分）は、プリペイド式携帯電話端末１０と通信相手装置との間で通話を行うことができない。音声通話制御部１３１は、音声ガイダンスが通信相手端末に送信されたのが確認された後で、通話を許可する（図６のステップＳ１３１ｅ）。この通話を許可するステップＳ１３１ｅの過程は、本発明の通信方法における通信許可過程の一例に相当する。【００５８】
この時点で、初めて通話が開始される（図５のステップＳ１４）。【００５９】
図７は、図５および図６に示す処理の流れを表現した図である。【００６０】
プリペイド式携帯電話端末１０から通信要求が発信されると、固定電話端末３０および携帯電話端末２０では、ディスプレイにプリペイド式携帯電話端末１０の電話番号が表示される。この時点では、表示された電話番号がプリペイド式携帯電話端末の電話番号であるか否かは判別できない。【００６１】
固定電話端末３０および携帯電話端末２０の電話を取ると、プリペイド式携帯電話端末１０から音声ガイダンスが伝えられ、固定電話端末３０および携帯電話端末２０のスピーカから、「プリペイド式携帯電話からの着信です」という音声が発せられる。固定電話端末３０および携帯電話端末２０のユーザは、音声を聞いて、プリペイド式携帯電話からの着信であることを認識し、通話をしない場合には電話を切る。通話を許可するときには、音声ガイダンスを最後まで聞き、プリペイド式携帯電話端末１０で通話が許可されるまで電話を保持する。【００６２】
このように、音声ガイダンスによってプリペイド式携帯電話からの着信であることが通知されることによって、ディスプレイなどが設けられていない電話端末でも、確実に通知を受けることができる。また、固定電話端末３０および携帯電話端末２０で音声ガイダンスが流れ終わった後で通話が許可されることによって、プリペイド式携帯電話端末１０からの着信であることを確実に通知することができ、プリペイド式携帯電話端末１０を使った犯罪を未然に防ぐことができる。【００６３】
ここで、上記では、音声ガイダンスによって、通信装置が所定の通信料金支払方式が採用されたものである旨の通知を発信する例について説明したが、本発明にいう通知部は、通信相手装置のディスプレイなどにメッセージを表示させるものであってもよい。【００６４】
また、上記では、本発明を無線通信を用いる携帯電話に適用する例について説明したが、本発明の通信装置は、電話回線を使って通話する固定電話や、インターネット回線を使って通話するインターネット電話などで適用してもよい。
【図１】
0004256904.tif 000002
【図２】
0004256904.tif 000003
【図３】
0004256904.tif 000004
【図４】
0004256904.tif 000005
【図５】
0004256904.tif 000006
【図６】
0004256904.tif 000007
【図７】
0004256904.tif 000008